(57)【要約】【課題】従来の段ボール製の簡易ベッドに内在する耐水性の問題を解決するとともに、保管に要するスペースが少なくて済み、かつ、使用に供する際の組み立ても容易な簡易ベッドを提供する。【解決手段】中空構造をなすための立体加工が施されたコア材（キャップシート）１０２の表裏両面に平板状の外装材（バックシート、ライナーシート）１０１，１０４を積層してなる合成樹脂製の中空板材（気泡ボード）１００からなり、中空板材１００から切り出されて矩形状に切り揃えられた複数の横枠構成片２１と縦枠構成片２５とを、それぞれに形成されたスリット２２，２６を咬み合わせて格子状に配置することによって組み立てられた基台２の上に、中空板材１００を切り出してなる天板３を載置して、簡易ベッド１を組み立てる。【選択図】      図１
2012235819.tif 000002
【特許請求の範囲】
【請求項１】
中空構造をなすための立体加工が施されたコア材の表裏両面に平板状の外装材を積層してなる合成樹脂製の中空板材からなり、
前記中空板材から切り出されて矩形状に切り揃えられた複数の横枠構成片と縦枠構成片とを、それぞれに形成されたスリットを咬み合わせて格子状に配置することによって組み立てられた基台の上に、
前記中空板材を切り出してなる天板を載置することによって組み立てられることを特徴とする簡易ベッド。
【請求項２】
前記横枠構成片と前記縦枠構成片とを格子状に配置してなる前記基台の升目の一つに嵌合する大きさで前記中空板材を切り出して、前記天板の裏面側の所定の位置に貼り付けて位置決め凸部を形成した請求項１に記載の簡易ベッド。
【請求項３】
前記横枠構成片と前記縦枠構成片のそれぞれの上端縁に、その両端側を残して当該上端縁を切り欠いてなる保持部を形成し、前記保持部に天板下板が保持され、その状態で、天板上板を重ねるようにして前記天板下板と一体化させて前記天板をなした請求項１に記載の簡易ベッド。
【請求項４】
前記天板の周辺に延設部を設け、前記延設部を前記基台の側面に沿って垂下させた請求項１〜３のいずれか一項に記載の簡易ベッド。
【請求項５】
前記天板の上に人が横になったときに、頭部側の三方を目隠しするついたてを立設した請求項１〜４のいずれか一項に記載の簡易ベッド。
【請求項６】
前記天板を長手方向に二つ折り可能とした請求項１〜５のいずれか一項に記載の簡易ベッド。
【請求項７】
前記縦枠構成片を長手方向に二つ折り可能とするとともに、前記横枠構成片の長手方向の長さを、前記縦枠構成片を二つ折りにした長さと同等か、それよりも短くなるようにした請求項１〜６のいずれか一項に記載の簡易ベッド。
【発明の詳細な説明】
【技術分野】
【０００１】
本発明は、保管に要するスペースが少なくて済み、かつ、使用に供する際の組み立ても容易な簡易ベッドに関する。
【背景技術】
【０００２】
大規模な自然災害が発生し、多くの被災者が避難所での生活を余儀なくされてしまった場合、被災者の苦痛が少しでも軽減されるようにすることが望まれる。このため、例えば、特許文献１では、避難所での生活を考慮して、災害発生時に速やかに対応することができる段ボール製の簡易ベッドが提案されている。
【先行技術文献】
【特許文献】
【０００３】
【特許文献１】特開２０１０−６９２７６号公報
【発明の概要】
【発明が解決しようとする課題】
【０００４】
しかしながら、特許文献１に開示された段ボール製の簡易ベッドは、段ボール紙からなるものであるが故に水や湿気などに弱く、水に濡れると強度が低下して使用に耐えられなくなってしまうことが考えられる。
【０００５】
本発明は、このような段ボール製の簡易ベッドに内在する耐水性の問題を解決するとともに、保管に要するスペースが少なくて済み、かつ、使用に供する際の組み立ても容易な簡易ベッドの提供を目的とする。
【課題を解決するための手段】
【０００６】
本発明に係る簡易ベッドは、中空構造をなすための立体加工が施されたコア材の表裏両面に平板状の外装材を積層してなる合成樹脂製の中空板材からなり、前記中空板材から切り出されて矩形状に切り揃えられた複数の横枠構成片と縦枠構成片とを、それぞれに形成されたスリットを咬み合わせて格子状に配置することによって組み立てられた基台の上に、前記中空板材を切り出してなる天板を載置することによって組み立てられる構成としてある。
【発明の効果】
【０００７】
本発明の簡易ベッドは、合成樹脂製の中空板材からなり、水に濡れても強度が低下するおそれがなく、汚れても水で洗うことができるので、繰り返し使用することも可能である。しかも、保管に際しては、基台を形成する構成片ごとにまとめて、天板とともに保管することで省スペース化を図ることができ、大規模災害に備えて限られたスペースに多数備蓄しておくことも可能な上に、使用に供する際の組み立ても容易である。
【図面の簡単な説明】
【０００８】
【図１】本発明の第一実施形態に係る簡易ベッドの概略を示す斜視図である。
【図２】本発明の第一実施形態に係る簡易ベッドが備える基台の一例を示す説明図である。
【図３】気泡ボードの一例を示す説明図である。
【図４】図１のＡ−Ａ断面図である。
【図５】本発明の第二実施形態に係る簡易ベッドの概略を示す斜視図である。
【図６】本発明の第二実施形態に係る簡易ベッドが備える基台の一例を示す説明図である。
【図７】本発明の第二実施形態に係る簡易ベッドが備える基台の保持部に天板下板を保持した状態を示す説明図である。
【図８】図５のＢ−Ｂ断面図である。
【図９】本発明の第三実施形態に係る簡易ベッドの概略を示す斜視図である。
【図１０】本発明の第三実施形態に係る簡易ベッドが備える天板に形成するヒンジ部の一例を示す説明図である。
【図１１】本発明の第三実施形態に係る簡易ベッドが備える天板に延設した延設部のコーナー部を固定する一例を示す説明図である。
【図１２】本発明の第三実施形態に係る簡易ベッドが備える天板に延設した延設部のコーナー部を固定する他の例を示す説明図である。
【図１３】本発明の第三実施形態に係る簡易ベッドについたてを立設する例を示す説明図である。
【図１４】本発明の第三実施形態に係る簡易ベッドが備える天板の足下側に延設した延設部を水平に延ばした例を示す説明図である。
【発明を実施するための形態】
【０００９】
以下、本発明の好ましい実施形態について、図面を参照しつつ説明する。
【００１０】
［第一実施形態］
まず、本発明に係る簡易ベッドの第一実施形態について説明する。
なお、図１は、本実施形態に係る簡易ベッドの概略を示す斜視図である。
【００１１】
本実施形態において、簡易ベッド１は、中空構造をなすための立体加工が施されたコア材の表裏両面に平板状の外装材を積層してなる合成樹脂製の中空板材からなっている。このような中空板材としては、一般に、気泡ボート、プラスチック段ボールなどと称されるものが知られているが、独立した多数の気泡内に空気が封入され、より断熱性に優れていることから、図３に示すような気泡ボード１００を用いるのが好ましい。
【００１２】
図３に示す気泡ボード１００は、中空状に膨出する多数の突起１０３が成形されたコア材としてのキャップシート１０２と、突起１０３内に空気を封入して気泡を形成する一方の外装材としてのバックシート１０１と、突起１０３の頂面側に積層された他方の外装材としてのライナーシート１０４とを備えている（図３（ａ）参照）。
【００１３】
このような気泡ボード１００は、例えば、図示しない多数の吸引孔が設けられた成形ロールの外周面に、シート状に連続して繰り出される溶融樹脂を接触させて中空状に膨出する多数の突起１０３を真空成形することによってキャップシート１０２を形成しつつ、このキャップシート１０２を、突起１０３の開口側に供給されたバックシート１０１と、突起１０３の頂面側に供給されたライナーシート１０４とで挟み込み、これらを熱融着により積層一体化し、しかる後に所定の形状に切り出すことによって製造することができる。
なお、上記のようにして気泡ボード１００を製造するにあたり、バックシート１０１、キャップシート１０２、ライナーシート１０４のそれぞれの厚みは、気泡ボード１００に要求される強度、剛性などを考慮して適宜調整することができるが、通常は、１００μｍ〜１．５ｍｍ程度とされる。
【００１４】
所定の形状に切り出された気泡ボード１００の端縁には、必要に応じて、図３（ｂ）に示すように、帯状の封止材１０５を熱融着などによって取り付けるようにしてもよい。このようにすることで、気泡ボード１００の内部に異物が侵入してしまうのを防止するとともに、それぞれの気泡１０３の間にも空気が封入されるようにして、さらなる断熱性の向上を図ることもできる。
【００１５】
また、気泡ボード（中空板材）１００の材料樹脂としては、例えば、ポリプロピレン，ポリエチレン等のポリオレフィン系樹脂、ポリスチレン等のポリスチレン系樹脂、ポリエチレンテレフタレート等のポリエステル系樹脂、ナイロン等のポリアミド系樹脂などを挙げることができるが、これらに限定されない。
【００１６】
このような気泡ボード１００からなる本実施形態の簡易ベッド１は、基台２の上に、一般的な体格の成人が横になれる程度の大きさで気泡ボード１００を切り出してなる天板３を載置することによって組み立てられる。天板３が載置される基台２は、図２に示すように、気泡ボード１００から切り出されて矩形状に切り揃えてられた複数の横枠構成片２１と縦枠構成片２５とを、それぞれに形成されたスリット２２，２６を咬み合わせて格子状に配置することによって組み立てられるようになっている。
【００１７】
このようにして基台２を組み立てることで、用いる構成片２１，２５の数を必要最小限にして軽量化を図りつつも、基台２の耐荷重強度を十分なものとすることができる。したがって、図示する例では、九つの横枠構成片２１と、四つの縦枠構成片２５とによって基台２を構成しているが、用いる構成片２１，２５の数は、十分な耐荷重強度が確保できれば、これに限定されない。
【００１８】
また、本実施形態では、横枠構成片２１と縦枠構成片２５とを格子状に配置してなる基台２の升目の一つに嵌合する大きさで気泡ボード１００を切り出して、これを天板３の裏面側の所定の位置（図１に示す例にあっては、天板３の四隅の近傍）に貼り付けて位置決め凸部３０を形成してある。これにより、基台２の上に載置された天板３の位置決めがなされるようにするとともに、天板３が基台２からずれ落ちてしまうのを防止している。
なお、図４は、図１のＡ−Ａ断面図であり、基台２の升目に位置決め凸部３０が嵌合した状態を示している。
【００１９】
以上のような本実施形態に係る簡易ベッド１は、合成樹脂製の気泡ボード（中空板材）１００からなり、水に濡れても強度が低下するおそれがなく、汚れても水で洗うことができるので、繰り返し使用することも可能である。しかも、保管に際しては、基台２を形成する構成片２１，２５ごとにまとめて、天板３とともに保管することで省スペース化を図ることができ、大規模災害に備えて限られたスペースに多数備蓄しておくことも可能な上に、使用に供する際の組み立ても容易である。
【００２０】
また、保管する際のスペース効率や、持ち運び易さなどを考慮すると、天板３と、基台２を形成する構成片２１，２５は、必要に応じて、長手方向に折り曲げられるようにしておくこともできる。
【００２１】
前述したように、天板３は、一般的な体格の成人が横になれる程度の大きさで気泡ボード１００を切り出してなるが、そのままの大きさでは持ち運びに支障を来してしまうことも考えられる。このため、例えば、天板３の長手方向ほぼ中央に、長手方向に直交させて加熱鏝を当てるなどして断面Ｖ字状に溶融したり（後述する図１０（ａ）参照）、ハーフカット処理を施したりしてヒンジ部を形成することで、天板３を長手方向に二つ折り可能となるようにしておけば、持ち運びも容易になる。
【００２２】
縦枠構成片２５も同様にして長手方向に二つ折り可能とすることができる。この場合には、横枠構成片２１の長手方向の長さを、縦枠構成片２５を二つ折りにした長さ（縦枠構成片２５を二つ折りにした状態での長手方向の長さ）と同等か、それよりも短くなるようにするのが好ましい。このようにすることで、横枠構成片２１と二つ折りにした縦枠構成片２５とをひとまとめにし易くなる。
【００２３】
さらに、簡易ベッド１を形成する気泡ボード１００は、緩衝性や断熱性にも優れているため、敷き布団などの寝具類が用意できない場合であっても、避難所での生活を余儀なくされた被災者の負担が軽減されることが期待できる。
【００２４】
［第二実施形態］
次に、本発明に係る簡易ベッドの第二実施形態について説明する。
なお、図５は、本実施形態に係る簡易ベッドの概略を示す斜視図である。
【００２５】
本実施形態に係る簡易ベッド１も第一実施形態と同様に、気泡ボード１００などのような合成樹脂製の中空板材からなっている。本実施形態が第一実施形態と異なるのは、天板３を位置決めするための構造であり、この点を中心に以下に説明する。
なお、図５では、天板上板３１の一部を切り欠いて示している。また、図８は、図５のＢ−Ｂ断面図である。
【００２６】
本実施形態に係る簡易ベッド１が備える基台２を図６に示すが、基台２を形成する横枠構成片２１と縦枠構成片２５のそれぞれの上端縁には、その両端側を残して当該上端縁を切り欠いてなる保持部２３，２７が形成されている。そして、図７に示すように、横枠構成片２１と縦枠構成片２５のそれぞれの上端縁に形成された保持部２３，２７に、天板下板３２が水平方向に移動しないように保持され、その状態で、天板上板３１を重ねるようにして天板下板３２と一体化させて天板３をなし、これによって天板３の位置決めがなされるようになっている（図８参照）。
【００２７】
このようにすることで、基台２に設けられた保持部２３，２７に保持された天板下板３２が基台２の上に固定され、これによって、天板３の位置決めがなされるようにするとともに、天板３が基台２からずれ落ちてしまうのを防止できるようになっている。
【００２８】
天板上板３１と天板下板３２とは、接着剤や両面テープなどを用いて予め一体化しておくこともできるが、面ファスナーによって着脱自在に一体化するのが好ましい。例えば、天板上板３１と天板下板３２との所定の部位に雌雄一対の面ファスナーを設けておき、基台２を組み立てて、保持部２３，２７に天板下板３２を保持させた後に、天板下板３２に設けられた一方の面ファスナーと、天板上板３１に設けられた他方の面ファスナーとの位置合わせをしつつ、天板下板３２に天板上板３１を重ねて両者を一体化して天板３をなすようにすることができる。
【００２９】
なお、本実施形態にあっては、基材２を形成する横枠構成片２１には、縦枠構成片２５に設けられたスリット２６を、横枠構成片２１に設けられたスリット２２に咬み合わせ易くするためのガイド部２４が切り欠かれて設けられているが、このようなガイド部２４は、必要に応じて省略することもできる。また、前述した第一実施形態や、後述する第三実施形態にあっても同様のガイド部を設けることができる。
【００３０】
本実施形態に係る簡易ベッド１が、前述した第一実施形態のものと異なるのは、主に以上の点においてであるため、他の共通する構成については説明を省略する。
【００３１】
［第三実施形態］
次に、本発明に係る簡易ベッドの第三実施形態について説明する。
なお、図９は、本実施形態に係る簡易ベッドの概略を示す斜視図である。
【００３２】
本実施形態に係る簡易ベッド１も第一実施形態と同様に、気泡ボード１００などのような合成樹脂製の中空板材からなっている。本実施形態が第一実施形態と異なるのは、天板３の周辺に延設部３３を設けて、これらを基台２の側面に沿って垂下させることによって、天板３が基台２からずれ落ちてしまうのを防止している点にある。
【００３３】
延設部３３を基台２の側面に沿って垂下させるにあたり、図９のＣ−Ｃ断面を図１０（ａ）に示すように、気泡ボード１００には、加熱鏝を当てるなどして断面Ｖ字状に溶融してなるヒンジ部１０５を形成しておく。そして、天板３を基台２の上に載置する際に、図１０（ｂ）に示すように、このヒンジ部１０５によって気泡ボード１００が折り曲げられるようにしてある。
【００３４】
このとき、ヒンジ部１０５は、気泡ボード１００の一部が線状に押し潰された状態となっており、天板３のヒンジ部１０５で囲まれた範囲には、空気が封入されるようになっている。このため、気泡ボード１００の端縁に封止材１０５を取り付けなくとも、当該範囲における気泡１０３の間に空気が封入され、これによって天板３の断熱性が向上する。
【００３５】
基台２の側面に沿って延設部３３を垂下させるにあたり、そのコーナー部にあっては、例えば、図１１に示すように、留め具３４により延設部３３を固定することができる。このとき、留め具３４は、接着剤、両面テープ、面ファスナーなどを介して延設部３３に取り付けられるようにすることができる。
また、図１２に示すように、天板３のコーナーに切り欠き部３５を設けて、隣接する延設部３３の端部が重なり合うようにして、両者の端部を接着剤、両面テープ、面ファスナーなどによって固定するようにしてもよい。
【００３６】
前述したように、天板３は、一般的な体格の成人が横になれる程度の大きさで気泡ボード１００を切り出すことによって形成されるが、図１４に示すように、足下側の延設部３３を水平に延ばして台５で支持することによって、想定した身長よりも高い身長の人にも対応することができる。
【００３７】
また、図１３に示すように、天板３の上に人が横になったときに、頭部側の三方を目隠しするついたて４を立設することもできる。ついたて４は、基台２の側面に沿って垂下させた延設部３３に、接着剤、両面テープ、面ファスナーなどによって取り付けることができるが、面ファスナーによって着脱自在に取り付けるようにするのが好ましい。
【００３８】
本実施形態に係る簡易ベッド１が、前述した第一実施形態のものと異なるのは、主に以上の点においてであるため、他の共通する構成については説明を省略する。
【００３９】
以上、本発明について、好ましい実施形態を示して説明したが、本発明は、前述した実施形態にのみ限定されるものではなく、本発明の範囲で種々の変更実施が可能であることは言うまでもない。
【００４０】
例えば、基台２を形成する構成片２１，２５や、天板３の具体的な形状は、必要に応じて適宜変更することができ、特に図示しないが、これらの角に面取り加工を施すなどしてもよい。
また、基台２に天板３を固定するには、両者の任意の位置に穿孔して結束バンドなどで結ぶようにしてもよい。
また、前述した実施形態では、好ましい態様として、天板３などを長手方向に二つ折り可能とした例を挙げて説明したが、三つ折り可能とするなど、折り曲げる回数を二つ折りよりも多くしてもよい。ただし、折り曲げる回数が増えると耐久性の低下などが懸念されるため、長手方向に二つ折り可能とするのが最も好ましい態様といえる。
【００４１】
また、第一実施形態から第三実施形態のそれぞれの構成を適宜組み合わせることもできる。例えば、第三実施形態で示したようなついたて４を、第一実施形態や第二実施形態に適用することもできる。さらに、第三実施形態において天板３の周辺に延設部３３を延設した態様を、第一実施形態や第二実施形態に適用することもできる。
【産業上の利用可能性】
【００４２】
本発明は、保管に要するスペースが少なくて済み、かつ、使用に供する際の組み立ても容易な簡易ベッドを提供する。
【符号の説明】
【００４３】
１          簡易ベッド
２          基台
２１        横枠構成片
２２        スリット
２３        保持部
２５        縦枠構成片
２６        スリット
２７        保持部
３          天板
３０        位置決め凸部
３１        天板上板
３２        天板下板
３３        延設部
４          ついたて
【図１】
2012235819.tif 000003
【図２】
2012235819.tif 000004
【図３】
2012235819.tif 000005
【図４】
2012235819.tif 000006
【図５】
2012235819.tif 000007
【図６】
2012235819.tif 000008
【図７】
2012235819.tif 000009
【図８】
2012235819.tif 000010
【図９】
2012235819.tif 000011
【図１０】
2012235819.tif 000012
【図１１】
2012235819.tif 000013
【図１２】
2012235819.tif 000014
【図１３】
2012235819.tif 000015
【図１４】
2012235819.tif 000016